(57)【要約】      （修正有）【課題】病院内等において医師と患者の間の電子カルテ情報、個人医療情報の交信を、高度のセキュリティ性を確保しつつ近距離双方向通信の形態で実現する電子医療情報の近距離無線通信システムを提供する。【解決手段】電子カルテ情報等の管理、認証処理等を行うコンピュータ装置３と、病院２内に設置されてコンピュータ装置３と交信する無線通信網８と、病院２内の任意の箇所に設置され、通信端末の交信可能エリアＥを近距離に限定するためのビーコン情報を発信するビーコン発信器９と、交信可能エリアＥ内であることを判定して通信許可認証を得るとともにコンピュータ装置３と交信し、かつ、患者通信端末１０と無線交信する医療機関側通信端末１１と、個人電子医療情報を記憶し、交信可能エリアＥ内であることを判定して医療機関側通信端末１１を介して通信許可認証を得るとともに、個人電子医療情報を送信する患者通信端末１０と、を有する。【選択図】図１
2016076767.tif 000002
【特許請求の範囲】
【請求項１】
患者別の電子カルテ情報又は患者別の個人電子医療情報を管理するとともに、通信許可認証を行う電子医療情報管理センターのコンピュータ装置と、
医療機関内に設置されて前記コンピュータ装置と交信する無線通信網と、
医療機関内の任意の箇所に設置され、通信端末の交信可能エリアを近距離に限定するためのビーコン情報を発信するビーコン発信器と、
前記ビーコン情報を受信して、交信可能エリア内であることを判定して通信許可認証を得るとともに、前記無線通信網を介して前記コンピュータ装置と交信し、かつ、患者通信端末と無線交信する医療機関側通信端末と、
個人電子医療情報を記憶し、前記ビーコン情報を受信して、交信可能エリア内であることを判定して前記医療機関側通信端末を介して通信許可認証を得る患者通信端末と、
を有し、
近距離に限定された交信可能エリア内で、前記患者通信端末が無線送信する個人電子医療情報を医療機関側通信端末により取得し、前記無線通信網を介して前記コンピュータ装置に送信するとともに、前記医療機関側通信端末により前記コンピュータ装置から無線通信網を介して取得した前記患者通信端末に対応する電子カルテ情報を無線通信により当該患者通信端末に送信することを特徴とする電子医療情報の近距離無線通信システム。
【請求項２】
患者別の電子カルテ情報又は患者別の個人電子医療情報を管理するとともに、通信許可認証を行う電子医療情報管理センターのコンピュータ装置と、
医療機関内に設置されて前記コンピュータ装置と通信網を介して接続される無線通信網と、
医療機関内の任意の箇所に設置され、通信端末の交信可能エリアを近距離に限定するためのビーコン情報を発信するビーコン発信器と、
前記ビーコン情報を受信して、交信可能エリア内であることを判定して通信許可認証を得るとともに、前記無線通信網を介して前記コンピュータ装置と交信し、かつ、前記患者通信端末と無線交信するプロキシーとして機能する医療機関側通信端末と、
個人電子医療情報を記憶し、前記ビーコン情報を受信して、交信可能エリア内であることを判定して前記医療機関側通信端末を介して通信許可認証を得る患者通信端末と、
を有し、
近距離に限定された交信可能エリア内で、医療機関側通信端末と患者通信端末との間でＰ２Ｐ方式で無線交信し、前記患者通信端末が無線送信する個人電子医療情報を医療機関側通信端末により取得し、前記無線通信網を介して前記コンピュータ装置に送信するとともに、前記医療機関側通信端末により前記コンピュータ装置から無線通信網を介して取得した前記患者通信端末に対応する電子カルテ情報を無線通信により当該患者通信端末に送信することを特徴とする電子医療情報の近距離無線通信システム。
【請求項３】
患者別の電子カルテ情報又は患者別の個人電子医療情報を管理するとともに、通信許可認証を行う電子医療情報管理センターのコンピュータ装置と、
医療機関内に設置されて前記コンピュータ装置と通信網を介して接続される無線通信網と、
医療機関内の任意の箇所に設置され、通信端末の交信可能エリアを近距離に限定するためのビーコンＩＤを含むビーコン情報を発信するビーコン発信器と、
前記ビーコン情報を受信して、交信可能エリア内であることを判定して前記コンピュータ装置に医療機関側通信端末を操作する医師の医師ＩＤ、ビーコンＩＤを送信して通信許可認証を得るとともに、前記無線通信網を介して前記コンピュータ装置と交信し、かつ、前記患者通信端末と無線交信するプロキシーとして機能する医療機関側通信端末と、
個人電子医療情報を記憶し、前記ビーコン情報を受信して、交信可能エリア内であることを判定して患者ＩＤ、ビーコンＩＤを前記医療機関側通信端末を介して前記コンピュータ装置に送信し通信許可認証を得る患者通信端末と、
を有し、
近距離に限定された交信可能エリア内で、医療機関側通信端末と患者通信端末との間でＰ２Ｐ方式で無線交信し、前記患者通信端末が無線送信する個人電子医療情報を医療機関側通信端末により取得し、前記無線通信網を介して前記コンピュータ装置に送信するとともに、前記医療機関側通信端末により前記コンピュータ装置から無線通信網を介して取得した前記患者通信端末に対応する電子カルテ情報を無線通信により当該患者通信端末に送信することを特徴とする電子医療情報の近距離無線通信システム。
【請求項４】
患者別の電子カルテ情報又は患者別の個人電子医療情報を管理するとともに、通信許可認証を行う電子医療情報管理センターのコンピュータ装置と、
医療機関内に設置されて前記コンピュータ装置と通信網を介して接続される無線通信網と、
医療機関内の任意の箇所に設置され、通信端末の交信可能エリアを近距離に限定するためのビーコンＩＤを含むビーコン情報を発信するビーコン発信器と、
前記ビーコン情報を受信して、患者通信端末に向けてチャレンジ情報をアドバタイジング処理にて発信するとともに、患者通信端末からの接続要求を受信して前記無線通信網を介して前記コンピュータ装置と交信し、前記コンピュータ装置に医療機関側通信端末を操作する医師の医師ＩＤを送信して通信許可認証を得るプロキシーとして機能する医療機関側通信端末と、
前記ビーコン情報を受信し、かつ、前記アドバタイジング処理にて発信されるチャレンジ情報を取得し、前記医療機関側通信端末に無線にて接続要求を行う患者通信端末と、
を有し、
近距離に限定された交信可能エリア内で、患者通信端末からの接続要求を受信し通信許可認証を得た前記医療機関側通信端末と患者通信端末との間でＰ２Ｐ方式で無線交信を開始し、前記患者通信端末が無線送信する個人電子医療情報を医療機関側通信端末により取得し、前記無線通信網を介して前記コンピュータ装置に送信するとともに、前記医療機関側通信端末により前記コンピュータ装置から無線通信網を介して取得した前記患者通信端末に対応する電子カルテ情報を無線通信により当該患者通信端末に送信することを特徴とする電子医療情報の近距離無線通信システム。
【請求項５】
患者別の電子カルテ情報又は患者別の個人電子医療情報を管理するとともに、通信許可認証を行う電子医療情報管理センターのコンピュータ装置と、
医療機関内に設置されて前記コンピュータ装置と通信網を介して接続される無線通信網と、
医療機関内の任意の箇所に設置され、通信端末の交信可能エリアを近距離に限定するためのビーコンＩＤを含むビーコン情報を発信するビーコン発信器と、
前記ビーコン情報を受信して、患者通信端末に向けてチャレンジ情報をアドバタイジング処理にて発信するとともに、患者通信端末を所有する患者に伝達するためのワンタイムパスワードの生成機能、ワンタイムパスワードに基づく共有鍵生成機能、生成した共有鍵に基づき前記チャレンジ情報を暗号情報とする暗号化機能を有し、暗号情報と患者通信端末から送信される暗号情報との一致、不一致の判定を行い、患者通信端末からの接続要求を受信して前記無線通信網を介して前記コンピュータ装置と交信し、前記コンピュータ装置に医療機関側通信端末を操作する医師の医師ＩＤを送信して通信許可認証を得るプロキシーとして機能する医療機関側通信端末と、
前記ビーコン情報を受信し、かつ、前記アドバタイジング処理にて発信されるチャレンジ情報の取得に基づくワンタイムパスワードの入力処理機能、及び、医師から伝達されるワンタイムパスワード入力に基づく共有鍵生成機能、生成した共有鍵に基づき前記チャレンジ情報を暗号情報とする暗号化機能を有し、暗号情報を前記医療機関側通信端末に無線にて送信し接続要求を行う患者通信端末と、
を有し、
近距離に限定された交信可能エリア内で、前記両暗号情報が一致したとき、医療機関側通信端末と患者通信端末との間でＰ２Ｐ方式で無線交信を開始し、前記患者通信端末が無線送信する個人電子医療情報を医療機関側通信端末により取得し、前記無線通信網を介して前記コンピュータ装置に送信するとともに、前記医療機関側通信端末により前記コンピュータ装置から無線通信網を介して取得した前記患者通信端末に対応する電子カルテ情報を無線通信により当該患者通信端末に送信することを特徴とする電子医療情報の近距離無線通信システム。
【請求項６】
患者別の電子カルテ情報又は患者別の個人電子医療情報を管理するとともに、通信許可認証を行う電子医療情報管理センターのコンピュータ装置と、
医療機関内に設置されて前記コンピュータ装置と交信する無線通信網と、
医療機関内の任意の箇所において無線交信可能エリアを近距離に限定するための近距離無線情報送受信手段を備えるとともに、患者通信端末に向けてチャレンジ情報をアドバタイジング処理にて発信し、患者通信端末からの接続要求を受信して前記無線通信網を介して前記コンピュータ装置と交信し、前記コンピュータ装置に医療機関側通信端末を操作する医師の医師ＩＤを送信して通信許可認証を得るプロキシーとして機能する医療機関側通信端末と、
医療機関内の任意の箇所において無線交信可能エリアを近距離に限定するための近距離無線情報送受信手段を備えるとともに、前記医療機関側通信端末と無線交信し前記アドバタイジング処理にて発信されるチャレンジ情報を取得し、前記医療機関側通信端末に無線にて接続要求を行う近距離無線情報送受信対応型の患者通信端末と、
を有し、
近距離に限定された交信可能エリア内で、患者通信端末からの接続要求を受信し通信許可認証を得た前記医療機関側通信端末と患者通信端末との間でＰ２Ｐ方式で無線交信を開始し、前記患者通信端末が無線送信する個人電子医療情報を医療機関側通信端末により取得し、前記無線通信網を介して前記コンピュータ装置に送信するとともに、前記医療機関側通信端末により前記コンピュータ装置から無線通信網を介して取得した前記患者通信端末に対応する電子カルテ情報を無線通信により当該患者通信端末に送信することを特徴とする電子医療情報の近距離無線通信システム。
【請求項７】
患者別の電子カルテ情報又は患者別の個人電子医療情報を管理するとともに、通信許可認証を行う電子医療情報管理センターのコンピュータ装置と、
医療機関内に設置されて前記コンピュータ装置と交信する無線通信網と、
医療機関内の任意の箇所において無線交信可能エリアを近距離に限定するための近距離無線情報送受信手段を備えるとともに、患者通信端末に向けてチャレンジ情報を無線によりアドバタイジング処理にて発信し、患者通信端末を所有する患者に伝達するためのワンタイムパスワードの生成機能、ワンタイムパスワードに基づく共有鍵生成機能、生成した共有鍵に基づき前記チャレンジ情報を暗号情報とする暗号化機能を有し、暗号情報と患者通信端末から送信される暗号情報との一致、不一致の判定を行い、前記無線通信網を介して前記コンピュータ装置と交信し、前記コンピュータ装置に医療機関側通信端末を操作する医師の医師ＩＤを送信して通信許可認証を得るプロキシーとして機能する近距離無線情報送受信対応型の医療機関側通信端末と、
医療機関内の任意の箇所において無線交信可能エリアを近距離に限定するための近距離無線情報送受信手段を備えるとともに、前記医療機関側通信端末と無線交信し前記アドバタイジング処理にて発信されるチャレンジ情報の取得に基づくワンタイムパスワードの入力画面表示機能、及び、医師から伝達されるワンタイムパスワード入力に基づく共有鍵生成機能、生成した共有鍵に基づき前記チャレンジ情報を暗号情報とする暗号化機能を有し、暗号情報を前記医療機関側通信端末に無線にて送信し接続要求を行う近距離無線情報送受信対応型の患者通信端末と、
を有し、
近距離に限定された交信可能エリア内で、前記両暗号情報が一致したとき、通信許可認証を得た医療機関側通信端末と患者通信端末との間でＰ２Ｐ方式で無線交信を開始し、前記患者通信端末が無線送信する個人電子医療情報を医療機関側通信端末により取得し、前記無線通信網を介して前記コンピュータ装置に送信するとともに、前記医療機関側通信端末により前記コンピュータ装置から無線通信網を介して取得した前記患者通信端末に対応する電子カルテ情報を無線通信により当該患者通信端末に送信することを特徴とする電子医療情報の近距離無線通信システム。
【請求項８】
前記電子カルテ情報は、患者の身長や体重、血液型、アレルギー、副作用、処方・投薬、医療画像ＤＩＣＯＭや波形データ、主治医のコメント等の情報であり、前記個人電子医療情報は、患者の通院情報、問診情報等であることを特徴とする請求項１乃至７のいずれか１項に記載の電子医療情報の近距離無線通信システム。
【請求項９】
前記患者通信端末は、前記電子医療情報管理センター以外の他の電子医療情報データベースとＭＭＬ形式等の通信プロトコルで医療情報をクラウドで交信する機能も備えることを特徴とする請求項１乃至８のいずれか１項に記載の電子医療情報の近距離無線通信システム。
【請求項１０】
患者別の電子カルテ情報又は患者別の個人電子医療情報を管理するとともに、通信許可認証を行う電子医療情報管理センターのコンピュータ装置と、
医療機関内に設置されて前記コンピュータ装置と通信網を介して接続される無線通信網と、
医療機関内の任意の箇所に設置され、通信端末の交信可能エリアを近距離に限定するためのビーコンＩＤを含むビーコン情報を発信するビーコン発信器と、
前記ビーコン情報を受信して、交信可能エリア内であることを判定して前記コンピュータ装置に医療機関側通信端末を操作する医師の医師ＩＤ、ビーコンＩＤを送信して通信許可認証を得るとともに、前記無線通信網を介して前記コンピュータ装置と交信し、かつ、前記患者通信端末と無線交信するプロキシーとして機能する医療機関側通信端末と、
個人電子医療情報を記憶し、前記ビーコン情報を受信して、交信可能エリア内であることを判定して患者ＩＤ、ビーコンＩＤを前記医療機関側通信端末を介して通信許可認証を得る患者通信端末と、
を有する電子医療情報の近距離無線通信システムのプログラムであって、
前記コンピュータ装置に、前記医師ＩＤ、ビーコンＩＤを基に前記医療機関側通信端末に対する通信許可認証を行う処理と、前記患者ＩＤ、ビーコンＩＤを基に患者通信端末に対する通信許可認証を行う処理と、前記医療機関側通信端末からの電子カルテ情報の送信要求に基づき電子カルテ情報を当該医療機関側通信端末に向けて送信する処理と、前記医療機関側通信端末を経て送信されてくる前記患者通信端末からの個人医療情報を管理する処理と、を実行させるプログラムと、
前記医療機関側通信端末に、ビーコン情報を受信して、患者通信端末に向けてチャレンジ情報を無線によりアドバタイジング処理にて発信する処理と、暗号化基情報の発信処理と、患者通信端末を所有する患者に伝達するためのワンタイムパスワードの生成処理と、ワンタイムパスワードに基づく共有鍵生成処理と、生成した共有鍵に基づき暗号化基情報を暗号情報とする暗号化処理と、前記暗号情報と患者通信端末から送信される暗号情報との一致、不一致の判定処理と、患者通信端末からの接続要求に基づき前記無線通信網を介して前記コンピュータ装置と交信し、前記コンピュータ装置に、医療機関側通信端末を操作する医師の医師ＩＤを送信して通信許可認証を得る処理と、
を実行させるプログラムと、
前記患者通信端末にアドバタイジング処理にて発信されるチャレンジの取得に基づくワンタイムパスワードの入力画面生成処理と、医師から口頭等で伝達されるワンタイムパスワードの患者による入力に基づく共有鍵生成処理と、生成した共有鍵に基づき受信した暗号化基情報を暗号情報とする暗号化処理と、暗号情報を前記医療機関側通信端末に無線にて送信し接続要求を行う処理と、を実行させるプログラムと、
の集合からなることを特徴とする電子医療情報の近距離無線通信システムのプログラム。
【請求項１１】
患者別の電子カルテ情報又は患者別の個人電子医療情報を管理するとともに、通信許可認証を行う電子医療情報管理センターのコンピュータ装置と、
医療機関内に設置されて前記コンピュータ装置と交信する無線通信網と、
医療機関内の任意の箇所において無線交信可能エリアを近距離に限定するための近距離無線情報送受信手段を備えるとともに、前記無線通信網を介して前記コンピュータ装置と交信し、前記コンピュータ装置に医療機関側通信端末を操作する医師の医師ＩＤを送信して通信許可認証を得るプロキシーとして機能する近距離無線情報送受信対応型の医療機関側通信端末と、
医療機関内の任意の箇所において無線交信可能エリアを近距離に限定するための近距離無線情報送受信手段を備えるとともに、前記医療機関側通信端末と無線交信し接続要求を行う近距離無線情報送受信対応型の患者通信端末と、
を有する電子医療情報の近距離無線通信システムのプログラムであって、
前記コンピュータ装置に、前記医師ＩＤを基に前記医療機関側通信端末に対する通信許可認証を行う処理と、前記医療機関側通信端末からの電子カルテ情報の送信要求に基づき電子カルテ情報を当該医療機関側通信端末に向けて送信する処理と、前記医療機関側通信端末を経て送信されてくる前記患者通信端末からの個人医療情報を管理する処理と、を実行させるプログラムと、
前記医療機関側通信端末に、患者通信端末に向けてチャレンジ情報を無線によりアドバタイジング処理にて発信する処理と、患者通信端末を所有する患者に伝達するためのワンタイムパスワードの生成処理と、ワンタイムパスワードに基づく共有鍵生成処理と、生成した共有鍵に基づき暗号化基情報を暗号情報とする暗号化処理と、前記暗号情報と患者通信端末から送信される暗号情報との一致、不一致の判定処理と、患者通信端末からの接続要求に基づき前記コンピュータ装置に医療機関側通信端末を操作する医師の医師ＩＤを送信して通信許可認証を得る処理と、を実行させるプログラムと、
前記患者通信端末に、アドバタイジング処理にて発信されるチャレンジ情報の取得に基づくワンタイムパスワードの入力画面生成処理と、医師から伝達されるワンタイムパスワードの患者による入力に基づく共有鍵生成処理と、生成した共有鍵に基づき受信した暗号化基情報を暗号情報とする暗号化処理と、暗号情報を前記医療機関側通信端末に無線にて送信し接続要求を行う処理と、を実行させるプログラムと、
の集合からなることを特徴とする電子医療情報の近距離無線通信システムのプログラム。
【請求項１２】
前記電子カルテ情報は、患者の身長や体重、血液型、アレルギー、副作用、処方・投薬、医療画像ＤＩＣＯＭや波形データ、主治医のコメント等の情報であり、前記個人電子医療情報は、患者の通院情報、問診情報等であることを特徴とする請求項１０又は１１に記載の電子医療情報の近距離無線通信システムのプログラム。
【発明の詳細な説明】
【技術分野】
【０００１】
本発明は、電子医療情報の近距離無線通信システム及びそのプログラムに関し、詳しくは、病院等の医療機関内における医師と患者との間における電子カルテ情報、個人医療情報の交信に関するセキュリティ性、利便性の向上を図った電子医療情報の近距離無線通信システム及びそのプログラムに関するものである。
【背景技術】
【０００２】
例えば、電子カルテシステムを利用し、医療機関内で例えば医師と患者との間で電子カルテ情報の提供や個人電子医療情報の収集を行う分野では、個人の医療情報に関する高度のセキュリティ性の確保と、医師と患者との間の医療情報交信の簡略容易化による利便性の向上を図ることが重要となる。
【０００３】
このような分野の従来技術としては、例えば、ＣＤ−ＲＯＭや光カード等の記憶媒体に個人（患者）の電子カルテ情報を記憶し、医師から患者に提供したり、逆に、患者が記憶媒体に自己の個人電子医療情報を記憶し医師に渡したりする例を挙げることができる。
【０００４】
しかし、記憶媒体を介して医療情報の提供、又は、収集を行うことは、記録媒体の情報容量による医療情報の記録量の制限が伴うこと、記録媒体の紛失の危険性があること、記録媒体の持ち運びが必須であることによる煩雑性の増大等、利便性に欠け活用範囲が制限されるものである。
【０００５】
特許文献１には、ユーザのカルテ情報を記憶する管理サーバと、管理サーバからカルテ情報を取得して記憶するユーザが所持する携帯端末とを備える電子カルテシステムにおいて、携帯端末は、管理サーバから取得したカルテ情報の閲覧処理をロックした状態でカルテ情報を保存し、振動センサーが一定時間以上の静止状態を検知することにより、カルテ情報のロックを解除するロック解除信号を携帯端末に送信するロック解除装置を備える電子カルテシステムが提案されている。
【０００６】
この特許文献１の電子カルテシステムの場合、ネットワーク接続を必要としないことからユーザのカルテ情報に関するセキュリティ性を確保することができるものの、ユーザのカルテ情報をユーザが所持する携帯端末に提供し、一定の条件の基に閲覧させることを主旨とするものであり、例えば、医師と患者との間における電子カルテ情報、個人医療情報の交信を高度のセキュリティ性を確保しつつ双方向通信の形態で簡略容易に実現するような内容ではない。
【先行技術文献】
【特許文献】
【０００７】
【特許文献１】特開２００８−２０３９１４号公報
【発明の概要】
【発明が解決しようとする課題】
【０００８】
本発明が解決しようとする課題は、病院内等において、医師と患者との間における電子カルテ情報、個人医療情報の交信を、高度のセキュリティ性を確保しつつ近距離双方向通信の形態で簡略容易に実現し得るような電子医療情報の近距離無線通信システムが従来存在しない点である。
【課題を解決するための手段】
【０００９】
本発明に係る電子医療情報の近距離無線通信システムは、患者別の電子カルテ情報又は患者別の個人電子医療情報を管理するとともに、通信許可認証を行う電子医療情報管理センターのコンピュータ装置と、医療機関内に設置され前記コンピュータ装置と交信する無線通信網と、医療機関内の任意の箇所に設置されて、通信端末の交信可能エリアを近距離に限定するためのビーコン情報を発信するビーコン発信器と、前記ビーコン情報を受信して、交信可能エリア内であることを判定して通信許可認証を得るとともに、前記無線通信網を介して前記コンピュータ装置と交信し、かつ、前記患者通信端末と無線交信する医療機関側通信端末と、個人電子医療情報を記憶し、前記ビーコン情報を受信して、交信可能エリア内であることを判定して前記医療機関側通信端末を介して通信許可認証を得る患者通信端末と、を有し、近距離に限定された交信可能エリア内で、前記患者通信端末が無線送信する個人電子医療情報を医療機関側通信端末により取得し、前記無線通信網を介して前記コンピュータ装置に送信するとともに、前記医療機関側通信端末により前記コンピュータ装置から無線通信網を介して取得した前記患者通信端末に対応する電子カルテ情報を無線通信により当該患者通信端末に送信する構成としたことを最も主要な特徴とする。
【発明の効果】
【００１０】
請求項１記載の発明によれば、病院等の医療機関内において、ビーコン情報を利用して近距離に限定された交信可能エリア内で、患者の患者通信端末が無線送信する個人電子医療情報を医療機関側通信端末により取得し、無線通信網を介して電子医療情報管理センターのコンピュータ装置に送信するとともに、医療機関側通信端末によりコンピュータ装置から無線通信網を介して取得した前記患者通信端末に対応する電子カルテ情報を無線通信により当該患者通信端末に送信するように構成しているので、医師と患者との間における電子カルテ情報、個人医療情報の交信を、高度のセキュリティ性を確保しつつ近距離双方向通信の形態で簡略容易に実現することができる電子医療情報の近距離無線通信システムを実現し、提供することができる。
【００１１】
請求項２及び３記載の発明によれば、病院等の医療機関内において、請求項１記載の発明と同様、ビーコン情報を利用した狭範囲の交信可能エリアＥに限定した状態での対面式による双方向近距離無線交信方式を採用していることから、アドホックなシンクライアント機能を発揮させ医療機関側通信端末、患者通信端末の記憶容量制限を受けることがなく、電子カルテ情報、個人電子医療情報の漏洩を確実に防止し、高度のセキュリティ性を確保することができる電子医療情報の近距離無線通信システムを実現し、提供することができる。
【００１２】
請求項４記載の発明によれば、請求項１乃至３記載の発明と同様な効果を奏し、かつ、患者通信端末側のＶＰＮ設定を不要とすることができ、特に、多数の患者通信端末が存在する場合の煩雑さを大幅に軽減することが可能な電子医療情報の近距離無線通信システムを実現し、提供することができる。
【００１３】
請求項５記載の発明によれば、請求項１乃至３記載の発明と同様な効果を奏し、かつ、患者通信端末側のＶＰＮ設定の煩雑さを解消できるとともに、患者通信端末と医療機関側通信端末との間の電子医療情報等の通信のセキュリティ性を高め、患者の信頼性向上に資することができる電子医療情報の近距離無線通信システムを実現し、提供することができる。
【００１４】
請求項６記載の発明によれば、近距離無線通信対応型の患者通信端末、医療機関側通信端末を採用する構成の基に、請求項１乃至３記載の発明と同様な効果を奏し、かつ、患者通信端末側のＶＰＮ設定を不要とすることができ、特に、多数の患者通信端末が存在する場合の煩雑さを大幅に軽減することが可能な電子医療情報の近距離無線通信システムを実現し、提供することができる。
【００１５】
請求項７記載の発明によれば、近距離無線通信対応型の患者通信端末、医療機関側通信端末を採用する構成の基に、請求項１乃至３記載の発明と同様な効果を奏し、かつ、患者通信端末側のＶＰＮ設定を不要とすることができ、特に、多数の患者通信端末が存在する場合の煩雑さを大幅に軽減することが可能となるとともに、患者通信端末と医療機関側通信端末との間の電子医療情報等の通信のセキュリティ性を高め、患者の信頼性向上に資することができる電子医療情報の近距離無線通信システムを実現し、提供することができる。
【００１６】
請求項８記載の発明によれば、請求項１乃至７のいずれかに記載の発明において、電子カルテ情報は、患者の身長や体重、血液型、アレルギー、副作用、処方・投薬、医療画像ＤＩＣＯＭや波形データ、主治医のコメント等の情報であり、前記個人電子医療情報は、患者の通院情報、問診情報等としているので、請求項１乃至７のいずれかに記載の発明の効果を奏し、かつ、詳細な電子カルテ情報、個人電子医療情報の提供、収集処理の利便性の高い電子医療情報の近距離無線通信システムを実現し、提供することができる。
【００１７】
請求項９記載の発明によれば、請求項１乃至７のいずれかに記載の発明において、前記患者通信端末は、前記電子医療情報管理センター以外の他の電子医療情報データベースとＭＭＬ形式の通信プロトコルで医療情報を交信する機能も備えることから、この患者通信端末により情報の記憶形式が異なる別の医療機関のデータベース等との間の電子医療情報の交換を、正確に行うことも可能となり、より利便性の大きい電子医療情報の近距離無線通信システムを実現し、提供することができる。
【００１８】
請求項１０記載の発明によれば、電子医療情報管理センターのコンピュータ装置、医療機関側通信端末、患者通信端末間の各種情報交信を円滑に実行させるプログラムの集合として、特に請求項５記載の電子医療情報の近距離無線通信システムを構築することができるプログラムを実現し、提供することができる。
【００１９】
請求項１１記載の発明によれば、電子医療情報管理センターのコンピュータ装置、医療機関側通信端末、患者通信端末間の各種情報交信を円滑に実行させるプログラムの集合として、特に請求項７記載の近距離無線通信対応型の近距離無線通信対応型の患者通信端末、医療機関側通信端末を採用した電子医療情報の近距離無線通信システムを構築することができるプログラムを実現し、提供することができる。
【００２０】
請求項１２記載の発明によれば、請求項１０又は１１記載の発明において、電子カルテ情報は、患者の身長や体重、血液型、アレルギー、副作用、処方・投薬、医療画像ＤＩＣＯＭや波形データ、主治医のコメント等の情報であり、前記個人電子医療情報は、患者の通院情報、問診情報等としているので、詳細な電子カルテ情報、個人電子医療情報の提供、収集処理の利便性の高い電子医療情報の近距離無線通信システムのプログラムを実現し、提供することができる。
【図面の簡単な説明】
【００２１】
【図１】図１は本発明の実施例１に係る電子医療情報の近距離無線通信システムの全体構成を示すブロック図である。
【図２】図２は本実施例１に係る電子医療情報の近距離無線通信システムにおける電子医療情報管理センターのコンピュータ装置の構成を示すブロック図である。
【図３】図３は本実施例１に係る電子医療情報の近距離無線通信システムにおける患者通信端末の構成を示すブロック図である。
【図４】図４は本実施例１に係る電子医療情報の近距離無線通信システムにおける医療機関側通信端末を示すブロック図である。
【図５】図５は本実施例１に係る電子医療情報の近距離無線通信システムの全体の動作の流れを梯子型チャート形式で示す説明図である。
【図６】図６は本実施例１に係る電子医療情報の近距離無線通信システムにおける医療機関側通信端末の画面表示例を示す説明図である。
【図７】図７は本実施例１に係る電子医療情報の近距離無線通信システムにおける患者通信端末の画面表示例を示す説明図である。
【図８】図８は本実施例１に係る電子医療情報の近距離無線通信システムにおけるアドバタイジング処理態様及び暗号化処理態様を実施するための患者通信端末の構成を示すブロック図である。
【図９】図９は本実施例１に係る電子医療情報の近距離無線通信システムにおけるアドバタイジング処理態様及び暗号化処理態様を実施するための医療機関側通信端末を示すブロック図である。
【図１０】図１０は本実施例１に係る電子医療情報の近距離無線通信システムにおけるアドバタイジング処理態様の処理の流れを示すフローチャートである。
【図１１】図１１は本実施例１に係る電子医療情報の近距離無線通信システムにおけるアドバタイジング処理態様及び暗号化処理態様の処理の流れを示すフローチャートである。
【図１２】図１２は本発明の実施例２に係る電子医療情報の近距離無線通信システムの全体構成を示すブロック図である。
【図１３】図１３は本実施例２に係る電子医療情報の近距離無線通信システムの電子医療情報管理センターのコンピュータ装置の構成を示すブロック図である。
【図１４】図１４は本実施例２に係る電子医療情報の近距離無線通信システムにおけるアドバタイジング処理態様及び暗号化処理態様を実施するための患者通信端末の構成を示すブロック図である。
【図１５】図１５は本実施例１に係る電子医療情報の近距離無線通信システムにおけるアドバタイジング処理態様及び暗号化処理態様を実施するための医療機関側通信端末を示すブロック図である。
【図１６】図１６は本実施例２に係る電子医療情報の近距離無線通信システムにおけるアドバタイジング処理態様の処理の流れを示すフローチャートである。
【図１７】図１７は本実施例２に係る電子医療情報の近距離無線通信システムにおけるアドバタイジング処理態様及び暗号化処理態様の処理の流れを示すフローチャートである。
【発明を実施するための形態】
【００２２】
本発明は、病院内等において、医師と患者との間における電子カルテ情報、個人医療情報の交信を、高度のセキュリティ性を確保しつつ近距離双方向通信の形態で簡略容易に実現できる電子医療情報の近距離無線通信システムを実現し提供するという目的を、患者別の電子カルテ情報又は患者別の個人電子医療情報を管理するとともに、通信許可認証を行う電子医療情報管理センターのコンピュータ装置と、医療機関内に設置されて前記コンピュータ装置と通信網を介して接続される無線通信網と、医療機関内の任意の箇所に設置されて、通信端末の交信可能エリアを近距離に限定するためのビーコンＩＤを含むビーコン情報を発信するビーコン発信器と、前記ビーコン情報を受信して、交信可能エリア内であることを判定して前記コンピュータ装置に医療機関側通信端末を操作する医師の医師ＩＤ、ビーコンＩＤを送信して通信許可認証を得るとともに、前記無線通信網を介して前記コンピュータ装置と交信し、かつ、前記患者通信端末と無線交信するプロキシーとして機能する医療機関側通信端末と、個人電子医療情報を記憶し、前記ビーコン情報を受信して、交信可能エリア内であることを判定して患者ＩＤ、ビーコンＩＤを前記医療機関側通信端末を介して前記コンピュータ装置に送信し通信許可認証を得る患者通信端末と、を有し、近距離に限定された交信可能エリア内で、医療機関側通信端末と患者通信端末との間でＰ２Ｐ方式で無線交信し、前記患者通信端末が無線送信する個人電子医療情報を医療機関側通信端末により取得し、前記無線通信網を介して前記コンピュータ装置に送信するとともに、前記医療機関側通信端末により前記コンピュータ装置から無線通信網を介して取得した前記患者通信端末に対応する電子カルテ情報を無線通信により当該患者通信端末に送信する構成により実現した。
【実施例】
【００２３】
以下、本発明の実施例に係る電子医療情報の近距離無線通信システムについて図論を参照して詳細に説明する。
【００２４】
（実施例１）
本実施例１に係る電子医療情報の近距離無線通信システム１は、図１に示すように、医療機関、例えば病院２の外部に設置されて、患者別の電子カルテ情報又は患者別の個人電子医療情報を管理するとともに、通信許可認証を行う電子医療情報管理センターのクラウドコンピュータとして機能するコンピュータ装置３と、病院２内に設置されルータ４、通信網（例えば公衆通信網、構内ネットワーク等）５を介して前記コンピュータ装置３と接続される病院内通信網（病院内ＬＡＮ）６と、病院内通信網６に接続したＷｉＦｉ（登録商標）ルータ７を含む無線通信網８と、病院２内の任意の箇所の例えば天井部分等に設置され、後述する各通信端末の交信可能エリアＥを近距離（例えば１〜１．５ｍ以内等）に限定するための例えばブルートゥース（登録商標）規格でビーコンＩＤを含むビーコン情報を発信するビーコン発信器９と、患者自身の個人電子医療情報を記憶し、前記ビーコン発信器９からのビーコン情報を受信して、交信可能エリアＥ内であることを判定して通信許可認証を得る例えばスマートフォン等からなる患者通信端末１０と、前記ビーコン情報を受信して、交信可能エリアＥ内であることを判定して通信許可認証を得るとともに、前記無線通信網８を介して前記コンピュータ装置３と交信し、かつ、前記患者通信端末１０とＰ２Ｐ（Ｐｅｅｒ  Ｔｏ  Ｐｅｅｒ）方式で無線交信可能なプロキシー（代行サーバー）として機能する例えばタブレット型コンピュータからなる医療機関側通信端末１１と、を有している。
【００２５】
前記患者通信端末１０と医療機関側通信端末１１とは、カップリング等の処理で双方が確実に相手と交信をできるように構成し、第三者の不正なアクセスを防止するように構成している。
更に詳述すると、ビーコンが発する無線通信可能領域内に患者通信端末（例えばｉＰｈｏｎｅ（登録商標））１０と、医療機関側通信端末１１（例えばｉＰａｄ（登録商標））が存在することで通信可能な空間が限定され、アドホックな認証が維持される。
そこで成立するセキュリティが対面するサービスの場面では、医療機関側通信端末１１も患者通信端末１０も互いに物理的な面と情報通信の確認といった双方の干渉で信頼性強度が高くするサービスが可能になっている。
本実施例１の近距離無線通信システム１の特徴として医療機関側通信端末１１では電子カルテ情報データベース２５にセキュアにアクセスする為の各種設定を事前に行っておく必要がある一方、患者通信端末１０においてはそのような設定は特に必要としない。
患者通信端末１０が直接電子カルテ情報データベース２５に接続する代わりに医療機関側通信端末１１が電子カルテ情報データベース２５に接続しこれを仲介（Ｐｒｏｘｙ）することで医師から患者への電子カルテ情報等を提供したり、逆に患者通信端末１０からは個人電子医療情報を電子カルテ情報データベース２５に登録することができる。
また、前記病院内通信網６には、必要に応じた台数のクライアントコンピュータ１２が接続される。
【００２６】
更に、前記患者通信端末１０は、例えば病院２外の他の医療機関又は調剤センター等の電子医療情報データベース１３と公知のＭＭＬ（ＭＭＬ：Ｍｅｄｉｃａｌ  Ｍａｒｋｕｐ  Ｌａｎｇｕａｇｅ）形式、ＯＰＥＮ  ＥＨＲ形式等の通信プロトコル（医療情報交換規格）でクラウドで医療情報を交信する機能も備えている。
【００２７】
これにより、前記患者通信端末１０は、電子医療情報データベース１３における電子医療情報の形式が電子医療情報管理センターにおける記憶形式と異なるような場合でも、電子医療情報を正しく交換処理することができる。
【００２８】
上述した本実施例１に係る電子医療情報の近距離無線通信システム１の構成によって、病院２内に、ＶＰＮ（公衆無線ＬＡＮを利用したバーチャルプライベートネットワーク）を構築している。
【００２９】
また、上述した本実施例１に係る電子医療情報の近距離無線通信システム１の構成によって、医療機関側通信端末１１や患者通信端末１０に交信した情報を残すことのない例えばシンクライアントとして機能するプレゼンテーション層の通信レベルを実現し、医療機関側通信端末１１や患者通信端末１０の記憶容量による制限を受けないシステム構成とすることが可能となる。
【００３０】
次に、前記コンピュータ装置３、患者通信端末１０、医療機関側通信端末１１の各構成について詳述する。
【００３１】
前記コンピュータ装置３は、図２に示すように、全体の制御を行う主制御部２１と、前記コンピュータ装置３用の動作プログラムを記憶したプログラムメモリ２２と、電子医療情報管理センターの係員が操作するキーボード等の操作部２３と、液晶ディスプレイ等からなる表示部２４と、前記通信網５を介して各種情報の受信又は送信を行う送受信処理部２５と、各患者の電子カルテ情報を記憶した電子カルテ情報データベース２６と、各患者の個人電子医療情報を記憶する個人電子医療情報データベース２７と、前記ビーコン発信器９のビーコンＩＤ、患者通信端末１０を所有する患者ＩＤ、医療機関側通信端末１１を操作する例えば医師の医師ＩＤを予め記憶し、動作プログラムに基づき患者通信端末１０から医療機関側通信端末１１を経て送信されてくるビーコンＩＤ及び患者ＩＤとの照合を行い当該患者通信端末１０に対する通信許可認証を行い、また、前記医療機関側通信端末１１から送信されてくるビーコンＩＤ及び医師ＩＤとの照合を行い当該医療機関側通信端末１１に対する通信許可認証を行う認証処理部２８と、を具備している。
【００３２】
前記患者通信端末１０は、図３に示すように、この患者通信端末１０全体の制御を行う制御部３１と、前記ビーコン発信器９からのビーコン情報を受信するビーコンアンテナ３２ａと、ＷｉＦｉルータ７を含む無線通信網８との間でビーコン情報以外の各種情報の無線送信又は無線受信を行うＷｉＦｉアンテナ３２ｂとからなるアンテナ部３２と、ビーコン情報の受信強度（電界強度）を計測し、計測情報を出力する受信強度計測部３３と、個人医療情報（ＰＨＲ：パーソナル・ヘルス・レコード）を予め記憶した記憶部３４と、受信強度計測部３３からの計測情報を基にこの患者通信端末１０が通信可能エリア内か否かを判定する処理、通信可能エリア内と判定したとき前記コンピュータ装置３に向けて通信許可要求を行い、また、コンピュータ装置３から通信許可の情報を受信したとき個人医療情報の送信処理、及び、前記医療機関側通信端末１１から無線送信されてくる電子カルテ情報（ＥＨＲ：エレクトロニック・ヘルス・レコード）の受信処理及び画面表示処理、更には記憶処理を実行するプログラムを記憶したプログラムメモリ３５と、前記患者通信端末１０における各種操作、電子カルテ情報の表示を行うタッチパネル式の操作・表示部３６と、前記ＷｉＦｉアンテナ３２ｂと制御部３１との間に接続され、ビーコン情報以外の各種情報の受信又は送信をＷｉＦｉアンテナ３２ｂを介して実行する送受信処理部３７と、を具備している。
【００３３】
前記医療機関側通信端末１１は、図４に示すように、この医療機関側通信端末１１全体の制御を行う制御部４１と、前記ビーコン発信器９からのビーコン情報を受信するビーコンアンテナ４２ａと、ＷｉＦｉルータ７を含む無線通信網８との間でビーコン情報以外の各種情報の無線送信又は無線受信を行うＷｉＦｉアンテナ４２ｂとからなるアンテナ部４２と、ビーコン情報の受信強度（電界強度）を計測し、計測情報を出力する受信強度計測部４３と、各種情報の記憶を行う記憶部４４と、受信強度計測部４３からの計測情報を基にこの医療機関側通信端末１１が通信可能エリア内か否かを判定する処理、通信可能エリア内と判定したとき前記コンピュータ装置３に向けて通信許可要求を行い、また、コンピュータ装置３から通信許可の情報を受信したとき前記患者通信端末１０との無線通信処理、患者通信端末１０から無線送信されてくる個人医療情報の前記コンピュータ装置３への転送処理、及び、前記コンピュータ装置３から無線送信されてくる電子カルテ情報（ＥＨＲ：エレクトロニック・ヘルス・レコード）の受信処理、画面表示処理更には記憶処理を実行するとともに、前記患者通信端末１０への電子カルテ情報の転送処理を実行するプログラムを記憶したプログラムメモリ４５と、前記医療機関側通信端末１１における各種操作、各種情報の表示を行うタッチパネル式の操作・表示部４６と、前記ＷｉＦｉアンテナ４２ｂと制御部４１との間に接続され、ビーコン情報以外の各種情報の受信又は送信をＷｉＦｉアンテナ４２ｂを介して実行する送受信処理部４７と、を具備している。
【００３４】
次に、図５乃至図７を参照して、本実施例１に係る電子医療情報の近距離無線通信システム１の全体の動作を、前記患者通信端末１０と医療機関側通信端末１１との間で近距離無線通信を行う態様を主にして説明する。
【００３５】
前記病院２内の任意の箇所に設置されたビーコン発信器９は、交信可能エリアＥを形成するためのビーコンＩＤを含むビーコン情報を発信する。
【００３６】
病院２内で例えば医師が医療機関側通信端末１１を保持して、前記交信可能エリアＥ内に入ると、ビーコン発信器９からのビーコン情報は医療機関側通信端末１１のビーコンアンテナ４２ａにより受信され受信強度計測部４３に伝送される。
【００３７】
前記受信強度計測部４３は、ビーコン情報の受信強度を計測し、計測情報を制御部４１に伝送する。
【００３８】
制御部４１は、プログラムメモリ４５に記憶したプログラムを動作させ、前記計測情報を基にこの計測情報の強度レベルが所定の値以上であるとき、医療機関側通信端末１１が通信可能エリア内であると判定される。
【００３９】
制御部４１により通信可能エリア内と判定されたとき、医師は前記コンピュータ装置３に向けて通信許可要求を行う。
【００４０】
具体的には、前記操作・表示部４６の画面に、図６上欄に示すように、前記プログラムに基づき、「通信可能エリア内」の文字表示と、「通信許可要求」のボタンとが表示され、医師は「通信許可要求」のボタンをタップして前記コンピュータ装置３に向けて通信許可要求を行うものである。
【００４１】
通信許可要求の情報には、前記ビーコン発信器９のビーコンＩＤ、医療機関側通信端末１１を操作する医師の医師ＩＤが含まれる。
【００４２】
前記医療機関側通信端末１１からの通信許可要求の情報は、前記無線通信網８、ＷｉＦｉルータ７、病院内通信網６、ルータ４、通信網５を経て前記コンピュータ装置３に送信される。
【００４３】
前記コンピュータ装置３の認証処理部２８は、主制御部２１の制御の基に、動作プログラムに基づき、予め記憶したビーコン発信器９のビーコンＩＤ、医師の医師ＩＤと、送信されてきた前記ビーコン発信器９のビーコンＩＤ、医師の医師ＩＤとの照合を行い、照合結果が適正であれば通信許可認証を行い、通信許可の情報を出力する。
【００４４】
この通信許可の情報は、前記通信網５、ルータ４、病院内通信網６、ＷｉＦｉルータ７、無線通信網８を経て、前記医師の医療機関側通信端末１１に送信される。
【００４５】
これにより、前記医療機関側通信端末１１の操作・表示部４６の画面には、図６上欄に示すように、「通信許可」の文字表示が行われる。
【００４６】
このようにして前記医師の医療機関側通信端末１１は、交信可能エリアＥ内での無線による情報送受信が可能となる。
【００４７】
そして、このとき、前記医療機関側通信端末１１の操作・表示部４６の画面には、図６上欄に示すように、前記プログラムに基づき、「電子カルテ情報送信」ボタンが表示される。
【００４８】
一方、前記患者が患者通信端末１０を保有して前記交信可能エリアＥ内に入ると、ビーコン発信器９からのビーコン情報は患者通信端末１０のビーコンアンテナ３２ａにより受信され受信強度計測部３３に伝送される。
【００４９】
受信強度計測部３３は、ビーコン情報の受信強度を計測し、計測情報を制御部３１に伝送する。
【００５０】
制御部３１は、プログラムメモリ３５に記憶したプログラムを動作させ、前記計測情報を基にこの計測情報の強度レベルが所定の値以上であるとき、患者通信端末１０が通信可能エリア内であると判定する。患者は、通信可能エリア内と判定されたとき前記コンピュータ装置３に向けて通信許可要求を行う。
【００５１】
具体的には、前記操作・表示部３６の画面に、図７上欄に示すように、前記プログラムに基づき、「通信可能エリア内」の文字表示と、「通信許可要求」のボタンとが表示され、患者は「通信許可要求」のボタンをタップして前記コンピュータ装置３に向けて通信許可要求を行うものである。
【００５２】
通信許可要求の情報には、前記ビーコン発信器９のビーコンＩＤ、患者通信端末１０を操作する患者の患者ＩＤが含まれる。
【００５３】
前記患者通信端末１０からの通信許可要求の情報は、前記医療機関側通信端末１１に無線送信され、医療機関側通信端末１１による転送処理により、前記無線通信網８、ＷｉＦｉルータ７、病院内通信網６、ルータ４、通信網５を経て前記コンピュータ装置３に送信される。
【００５４】
前記コンピュータ装置３の認証処理部２８は、主制御部２１の制御の基に、動作プログラムに基づき、予め記憶したビーコン発信器９のビーコンＩＤ、患者の患者ＩＤと、送信されてきた前記ビーコン発信器９のビーコンＩＤ、患者の患者ＩＤとの照合を行い、照合結果が適正であれば通信許可認証を行い、通信許可の情報を出力する。
【００５５】
この通信許可の情報は、前記通信網５、ルータ４、病院内通信網６、ＷｉＦｉルータ７、無線通信網８を経て、前記医師の医療機関側通信端末１１に送信され、更に、医療機関側通信端末１１による転送処理により前記患者通信端末１０に無線送信される。
【００５６】
これにより、図７上欄に示すように、前記患者通信端末１０の操作・表示部３６の画面には、前記プログラムに基づき、「通信許可」の文字表示が行われる。
【００５７】
このようにして、前記患者の患者通信端末１０は、交信可能エリアＥ内での無線による情報送受信が可能となる。
【００５８】
そして、このとき、前記患者通信端末１０の操作・表示部３６の画面には、図７上欄に示すように、前記プログラムに基づき、「個人電子医療情報送信」ボタンが表示される。
【００５９】
次に、前記交信可能エリアＥ内における前記医療機関側通信端末１１と、前記患者通信端末１０との間のＰ２Ｐ方式の無線通信による個人電子医療情報の収集、電子カルテ情報の提供の処理について、前記電子医療情報管理センターのコンピュータ装置３の動作をも含めて説明する。
【００６０】
上述したように、前記交信可能エリアＥ内に前記医療機関側通信端末１１、患者通信端末１０の双方が入った状態において、患者が患者通信端末１０の操作・表示部３６の画面に表示された「個人電子医療情報送信」ボタンをタップすると、このタップ操作に応じて前記制御部３１は、前記プログラムに基づき、記憶部３４に記憶している個人電子医療情報を読み出し、患者ＩＤととともに送受信処理部３７、ＷｉＦｉアンテナ３２ｂを経て前記医療機関側通信端末１１に無線送信する。
【００６１】
前記医療機関側通信端末１１は、前記プログラムに基づき、前記個人電子医療情報、患者ＩＤの情報を、図６下欄に示すように、操作・表示部４６の画面に表示するとともに、前記無線通信網８、ＷｉＦｉルータ７、病院内通信網６、ルータ４、通信網５を経て前記コンピュータ装置３に転送する。
【００６２】
前記コンピュータ装置３は、前記動作プログラムに基づき、転送されてきた前記個人電子医療情報、患者ＩＤの情報を個人電子医療情報データベース２７に格納する。
【００６３】
また、転送されてきた前記個人電子医療情報、患者ＩＤの情報は、前記電子カルテ情報データベース２６の当該患者の電子カルテ情報構築に反映される。
【００６４】
なお、図６下欄には、患者ＩＤと、個人電子医療情報である通院情報、問診情報を表示した例を示しているがこれらに限定されるものではない。
【００６５】
一方、前記交信可能エリアＥ内に前記医療機関側通信端末１１、患者通信端末１０の双方が入った状態において、医師が前記医療機関側通信端末１１の操作・表示部４６の画面に表示された「電子カルテ情報送信」ボタンをタップし、かつ、図示しないが当該患者の患者ＩＤを操作・表示部４６の画面から入力すると、前記プログラムに基づき、電子カルテ情報送信の情報及び患者ＩＤの情報は、前記無線通信網８、ＷｉＦｉルータ７、病院内通信網６、ルータ４、通信網５を経て前記コンピュータ装置３に送信される。
【００６６】
前記コンピュータ装置３は、前記動作プログラムに基づき、送信されてきた電子カルテ情報送信の情報と、患者ＩＤの情報とを基に、前記電子カルテ情報データベース２６から当該患者の電子カルテ情報を読み出し、出力する。
【００６７】
前記患者の電子カルテ情報は、前記通信網５、ルータ４、病院内通信網６、ＷｉＦｉルータ７、無線通信網８を経て、前記医師の医療機関側通信端末１１に送信され、更に、医療機関側通信端末１１による転送処理により前記患者通信端末１０に無線送信される。
【００６８】
これにより、図７下欄に示すように、患者通信端末１０の操作・表示部３６には、当該患者自身の電子カルテ情報が表示され、また、必要に応じて前記記憶部３４に記憶される。
【００６９】
なお、図７下欄には、電子カルテ情報として、患者の身長や体重、血液型、アレルギー、副作用、処方・投薬、医療画像ＤＩＣＯＭや波形データ、主治医のコメント等の情報を表示した例を示すが、これらに限定されるものではない。
なお、ＤＩＣＯＭ（ダイコム）とは、Ｄｉｇｉｔａｌ  Ｉｍａｇｉｎｇ  ａｎｄ  ＣＯｍｍｕｎｉｃａｔｉｏｎ  ｉｎ  Ｍｅｄｉｃｉｎｅの略で、米国放射線学会（ＡＣＲ）と北米電子機器工業会（ＮＥＭＡ）が開発した、ＣＴやＭＲＩ、ＣＲ等で撮影した医用画像のフォーマットと、それらの画像を扱う医用画像機器間の通信プロトコルを定義した標準規格のことをいう。
【００７０】
以上説明した本実施例１の電子医療情報の近距離無線通信システム１によれば、医師の医療機関側通信端末１１と、患者の患者通信端末１０との間における電子カルテ情報、個人医療情報の相互交信をＰ２Ｐ方式の基に簡略容易に実現することができ、医師、患者双方の利便性を大いに向上することができる。
【００７１】
また、本実施例１によれば、前記医療機関側通信端末１１、患者通信端末１０各々の端末セキュリティ性に加え、ビーコン情報を利用した狭範囲の交信可能エリアＥに限定した状態での対面式による双方向近距離無線交信方式を採用していることから、アドホックなシンクライアント機能を発揮させ前記医療機関側通信端末１１、患者通信端末１０の記憶容量制限を受けることがなく、電子カルテ情報、個人電子医療情報の漏洩を確実に防止し、高度のセキュリティ性を確保することができるとともに、例えば物品明け渡しのエスクロー的な運用が可能な電子医療情報の近距離無線通信システム１を実現することができる。
【００７２】
更に、本実施例１の電子医療情報の近距離無線通信システム１によれば、電子カルテ情報とその周辺業務又はオーダリングを拡張した展開が可能になること、電子カルテ情報、個人電子医療情報に関する機能追加拡張が可能になること、ＥＢＭ（Ｅｖｉｄｅｎｃｅ−Ｂａｓｅｄ  Ｍｅｄｉｃｉｎｅ）への貢献、セカンドオピニオンへの反映、患者の自己管理補助の実現等、種々の効果を発揮させることができる。
【００７３】
次に、本実施例１の電子医療情報の近距離無線通信システム１の変形動作態様について、アドバタイジング処理態様、アドバタイジング処理態様及び暗号化処理態様について場合を分け、図８乃至図１１を参照して説明する。
【００７４】
（アドバタイジング処理態様）
まず、図８、図９を参照してこの場合の近距離無線通信システム１の構成について説明する。この場合の電子医療情報の近距離無線通信システム１の構成は図１乃至図４に示す場合と略同様であるため、同一の要素には同一の符号を付して示す。
【００７５】
このアドバタイジング処理態様の場合は、基本的構成は図１に示す場合と略同様であるが、図８に示すように、患者通信端末１０Ａにおけるプログラムメモリ３５Ａとして、既述したプログラムメモリ３５に格納されたプログラムに加えて、医療機関側通信端末１１Ａによるアドバタイジング処理にて発信されるチャレンジ情報（例えば「わたしはここにいます」等の文字データ）の取得に基づくワンタイムパスワードの入力画面生成処理と、医師から口頭、紙片メモ等で直接伝達されるワンタイムパスワードの患者による入力に基づく共有鍵生成処理と、生成した共有鍵に基づき受信した暗号化基情報を暗号情報とする暗号化処理と、暗号情報を前記医療機関側通信端末に無線にて送信し接続要求を行う処理とを実行させるプログラムをも格納したことが特徴である。
【００７６】
また、この場合の医療機関側通信端末１１Ａは、基本的構成は図４に示す場合と略同様であるが、図９に示すように、この医療機関側通信端末１１Ａにおけるプログラムメモリ４５Ａとして、既述したプログラムメモリ４５に格納されたプログラムに加えて、患者通信端末１０Ａに向けてチャレンジ情報を無線によるアドバタイジング処理にて発信する処理と、患者通信端末１０Ａを所有する患者に口頭又は紙片メモ等で伝達するためワンタイムパスワード（例えば「００１３」等）の生成処理と、前記ワンタイムパスワードに基づく共有鍵生成処理と、生成した共有鍵に基づき暗号化基情報を暗号情報とする暗号化処理と、前記暗号情報と患者通信端末１０Ａから送信される暗号情報との一致、不一致の判定処理と、患者通信端末１０Ａからの接続要求に基づき前記コンピュータ装置３に医療機関側通信端末１１Ａを操作する医師の医師ＩＤを送信して通信許可認証を得る処理と、を実行させるプログラムをも格納したことが特徴である。この他の要素に関する近距離無線通信システム１の構成は図１に示す場合と同様である。
【００７７】
次に、アドバタイジング処理態様の処理の流れについて、図１０を参照して説明する。
【００７８】
病院２内で患者が保持する患者通信端末１０Ａについての交信可能エリアＥの判定、及び、病院２内で例えば医師が保持する医療機関側通信端末１１Ａについての交信可能エリアＥの判定は、既述した場合と同様である。
【００７９】
交信可能エリアＥに入った前記医療機関側通信端末１１Ａは、患者通信端末１０Ａに向けて前記チャレンジ情報を無線によりアドバタイジング処理にて発信する。
【００８０】
交信可能エリアＥに入った患者通信端末１０Ａは、前記医療機関側通信端末１１Ａからの信号のサーチ（ブラウジング）を開始し、前記チャレンジ情報を検知するとプログラム処理にて前記医療機関側通信端末１１Ａに向けてＰ２Ｐ交信のための患者ＩＤを含めた接続要求を送信する。
【００８１】
医療機関側通信端末１１Ａは、患者通信端末１０Ａからの接続要求を受信すると、既述した場合と同様な処理の基に前記コンピュータ装置３と交信し、ビーコン発信器９のビーコンＩＤ、医師ＩＤを送信して通信許可を取得する。
【００８２】
医療機関側通信端末１１Ａが通信許可を取得した段階で、医療機関側通信端末１１Ａと患者通信端末１０Ａとの間のＰ２Ｐ通信が開始される。
【００８３】
この後は、既述した場合と同様前記患者通信端末１０Ａが無線送信する個人電子医療情報を医療機関側通信端末１１Ａにより取得し、前記無線通信網８を介して前記コンピュータ装置３に送信するとともに、前記医療機関側通信端末１１Ａにより前記コンピュータ装置３から無線通信網８を介して取得した前記患者通信端末１０Ａに対応する電子カルテ情報を無線通信により当該患者通信端末１０Ａに送信する処理が実行される。
【００８４】
以上説明したアドバタイジング処理態様を実行するようにした本実施例１の電子医療情報の近距離無線通信システム１によれば、既述した図１乃至図７に示す実施例１の場合と同様な効果を奏することに加え、特に、患者通信端末１０Ａ側において顕著な効果を発揮させることができる。
【００８５】
すなわち、患者通信端末１０Ａ側においては、医療機関側通信端末１１Ａからのチャレンジ情報を検知して、医療機関側通信端末１１Ａに向けてＰ２Ｐ交信のための患者ＩＤを含めた接続要求を送信するだけで、医療機関側通信端末１１Ａが代行サーバとして機能し（プロキシー動作）、患者通信端末１０ＡはＶＰＮ設定を一切要することなく電子カルテ情報等の取得等が可能となる。
【００８６】
このことについて詳述すると、従来よりインターネット経由でセキュリティを確保しつつ各種情報をやり取りする手法としてＶＰＮが利用されている。
【００８７】
しかし、ＶＰＮを利用するには事前に個々の通信端末ごとに煩雑なＶＰＮ設定が必要となる。
【００８８】
すなわち、上述した個々の患者通信端末１０Ａにクラウドとして機能するコンピュータ装置３から電子カルテ情報、診療データ、処方箋データ等を転送しようとする場合には、個々の患者通信端末１０Ａ毎に事前に煩雑なＶＰＮ設定が必要となる（もし患者が１０００人存在すれば１００台の患者通信端末１０ＡにいちいちＶＰＮ設定が必要となり、到底その頻に耐え得ないことになる。
【００８９】
（アドバタイジング処理態様及び暗号化処理態様）
次に、アドバタイジング処理態様及び暗号化処理態様の組み合わせについて図１１を参照して説明する。
【００９０】
病院２内で患者が保持する患者通信端末１０Ａについての交信可能エリアＥの判定、及び、病院２内で例えば医師が保持する医療機関側通信端末１１Ａについての交信可能エリアＥの判定は、既述した場合と同様である。
【００９１】
交信可能エリアＥに入った前記医療機関側通信端末１１Ａは、患者通信端末１０Ａに向けて前記チャレンジ情報を無線によりアドバタイジング処理にて発信する。
【００９２】
交信可能エリアＥに入った患者通信端末１０Ａは、前記医療機関側通信端末１１Ａからの信号のサーチ（ブラウジング）を開始し、前記チャレンジ情報を検知する。
【００９３】
前記チャレンジ情報の検知により、患者通信端末１０Ａの操作表示部３６画面はプログラム処理により、ワンタイムパスワードの入力画面になる。
【００９４】
一方、医療機関側通信端末１１Ａにおいては、プログラム処理によりワンタイムパスワード（例えば「００１３」）を生成し、生成したワンタイムパスワードを操作表示部４６の画面に表示する。
【００９５】
そして、医師は前記ワンタイムパスワードを口頭又は紙片メモ等により交信可能エリアＥ内の至近距離に居る患者通信端末１０Ａを保持する患者に伝達する。
【００９６】
ワンタイムパスワードを取得した患者は、患者通信端末１０Ａのワンタイムパスワードの入力画面から前記ワンタイムパスワードを入力する。
【００９７】
これにより、患者通信端末１０Ａは、プログラム処理、例えばＲＦＣ（Ｒｅｑｕｅｓｔ  Ｆｏｒ  Ｃｏｍｍｅｎｔｓ：インターネット上での技術仕様の標準を示すドキュメント）定義のワンタイムパスワードストレッチ処理を実施し、共有鍵暗号化方式（ＡＥＳ：Ａｄｖａｎｃｅｄ  Ｅｎｃｒｙｐｔｉｏｎ  Ｓｔａｎｄａｒｄ）にて共有鍵（ＡＥＳ用ＫＥＹ）を生成する。
【００９８】
更に、患者通信端末１０Ａは、プログラム処理により、生成した共有鍵を用いて前記チャレンジ情報を暗号化し、暗号情報とするとともに、この暗号情報を含めた接続要求を医療機関側通信端末１１Ａに向けて無線送信する。
【００９９】
一方、医療機関側通信端末１１Ａにおいては、ワンタイムパスワード（例えば「００１３」）を生成後、既述した場合と同様、プログラム処理、例えばＲＦＣ定義のワンタイムパスワードストレッチ処理を実施し、共有鍵暗号化方式にて共有鍵（ＡＥＳ用ＫＥＹ）を生成する。更に、生成した共有鍵を用いて前記チャレンジ情報を暗号化し、暗号情報とする
【０１００】
そして、医療機関側通信端末１１Ａは、患者通信端末１０Ａから送信された前記暗号情報と、医療機関側通信端末１１Ａとの一致、不一致の判定を行い、両者が一致したときコンピュータ装置３と交信して既述した場合と同様に通信許可認証を取得する。
【０１０１】
医療機関側通信端末１１Ａが通信許可を取得した段階で、医療機関側通信端末１１Ａと患者通信端末１０Ａとの間のＰ２Ｐ通信が開始される。
【０１０２】
なお、前記両暗号情報が一致しなければ通信拒絶処理となる。
【０１０３】
この後は、既述した場合と同様前記患者通信端末１０Ａが無線送信する個人電子医療情報を医療機関側通信端末１１Ａにより取得し、前記無線通信網８を介して前記コンピュータ装置３に送信するとともに、前記医療機関側通信端末１１Ａにより前記コンピュータ装置３から無線通信網８を介して取得した前記患者通信端末１０Ａに対応する電子カルテ情報を無線通信により当該患者通信端末１０Ａに送信する処理が実行される。
【０１０４】
以上説明したアドバタイジング処理態様及び暗号化処理態様の組み合わせによれば、患者通信端末１０Ａ側のＶＰＮ設定が一切不要となるとともに、前記ワンタイムパスワードに関しては、医師から患者に口頭又は紙片メモ等により伝達する方式を採用していることから、仮に悪意のある第三者に送信中のチャレンジ情報が傍受される事態が生じても、もう一方のワンタイムパスワードを悪意のある第三者が取得することは殆ど不可能になり、この結果、医療機関側通信端末１１Ａ、患者通信端末１０Ａ間の情報更新に伴うセキュリティ性を大幅に向上することが可能となる。
【０１０５】
（実施例２）
次に、本発明の実施例２に係る電子医療情報の近距離無線通信システム１Ｂについて、図１２乃至図１７を参照して説明する。
【０１０６】
なお、本実施例２に係る電子医療情報の近距離無線通信システム１Ｂにおいて、実施例１に係る電子医療情報の近距離無線通信システム１の場合と同一の要素には同一の符号を付し、その詳細説明は省略する。
【０１０７】
本実施例２に係る電子医療情報の近距離無線通信システム１Ｂは、図１２に示すように、医療機関、例えば病院２の外部に設置されて、患者別の電子カルテ情報又は患者別の個人電子医療情報を管理するとともに、通信許可認証を行う電子医療情報管理センターのクラウドコンピュータとして機能するコンピュータ装置３と、病院２内に設置されルータ４、通信網（例えば公衆通信網、構内ネットワーク等）５を介して前記コンピュータ装置３と接続される病院内通信網（病院内ＬＡＮ）６と、病院内通信網６に接続したＷｉＦｉ（登録商標）ルータ７を含む無線通信網８と、患者自身の個人電子医療情報を記憶し後述する医療機関側通信端末１１ＢとＰ２Ｐ（Ｐｅｅｒ  Ｔｏ  Ｐｅｅｒ）方式で無線交信可能であり、かつ、医療機関側通信端末１１と近距離無線通信（例えば通信距離１０〜１５ｃｍ等）可能な近距離無線通信（Ｎｅａｒ  Ｆｉｅｌｄ  Ｃｏｍｍｕｉｎｃａｔｉｏｎ）対応型のスマートフォン等からなる患者通信端末１０Ｂと、前記無線通信網８と交信可能であり、かつ、患者通信端末１０Ｂと近距離無線通信可能な近距離無線通信対応型のタブレット型コンピュータからなり、プロキシー（代行サーバー）として機能する医療機関側通信端末１１Ｂと、を有している。
【０１０８】
また、前記病院内通信網６には、必要に応じた台数のクライアントコンピュータ１２が接続される。
【０１０９】
更に、前記患者通信端末１０Ｂは、例えば病院２外の他の医療機関又は調剤センター等の電子医療情報データベース１３と公知のＭＭＬ（ＭＭＬ：Ｍｅｄｉｃａｌ  Ｍａｒｋｕｐ  Ｌａｎｇｕａｇｅ）形式、ＯＰＥＮ  ＥＨＲ形式等の通信プロトコル（医療情報交換規格）でクラウドで医療情報を交信する機能も備えている。
【０１１０】
これにより、前記患者通信端末１０Ｂは、電子医療情報データベース１３における電子医療情報の形式が電子医療情報管理センターにおける記憶形式と異なるような場合でも、電子医療情報を正しく交換処理することができる。
【０１１１】
上述した本実施例２に係る電子医療情報の近距離無線通信システム１Ｂの構成によって、病院２内に、ＶＰＮ（公衆無線ＬＡＮを利用したバーチャルプライベートネットワーク）を構築している。
【０１１２】
次に、前記コンピュータ装置３、患者通信端末１０Ｂ、医療機関側通信端末１１Ｂの各構成について図１３乃至図１５を参照して詳述する。
【０１１３】
前記コンピュータ装置３は、図１３に示すように、実施例１の場合と同様に、全体の制御を行う主制御部２１と、前記コンピュータ装置３用の動作プログラムを記憶したプログラムメモリ２２と、電子医療情報管理センターの係員が操作するキーボード等の操作部２３と、液晶ディスプレイ等からなる表示部２４と、前記通信網５を介して各種情報の受信又は送信を行う送受信処理部２５と、各患者の電子カルテ情報を記憶した電子カルテ情報データベース２６と、各患者の個人電子医療情報を記憶する個人電子医療情報データベース２７と、前記医療機関側通信端末１１Ｂを操作する例えば医師の医師ＩＤを予め記憶し、動作プログラムに基づき前記医療機関側通信端末１１Ｂから送信されてくる医師ＩＤとの照合を行い当該医療機関側通信端末１１Ｂに対する通信許可認証を行う認証処理部２８と、を具備している。
【０１１４】
前記患者通信端末１０Ｂは、図１４に示すように、この患者通信端末１０Ｂ全体の制御を行う制御部３１と、制御部３１の制御の基に医療機関側通信端末１１Ｂとの間で各種情報の近距離無線通信を行うＮＦＣタグ５１と、個人医療情報（ＰＨＲ：パーソナル・ヘルス・レコード）を予め記憶した記憶部３４と、個人医療情報の送信処理、前記医療機関側通信端末１１Ｂから無線送信されてくる電子カルテ情報（ＥＨＲ：エレクトロニック・ヘルス・レコード）の受信処理、画面表示処理更には記憶処理、更には、アドバタイジング処理にて発信されるチャレンジ情報の取得に基づくワンタイムパスワードの入力画面生成処理と、医師から伝達されるワンタイムパスワードの患者による入力に基づく共有鍵生成処理と、生成した共有鍵に基づき受信した暗号化基情報を暗号情報とする暗号化処理と、暗号情報を前記医療機関側通信端末に無線にて送信し接続要求を行う処理と、を実行させるプログラムを記憶したプログラムメモリ３５Ｂと、前記患者通信端末１０Ｂにおける各種操作、各種情報の表示を行うタッチパネル式の操作・表示部３６と、ＷｉＦｉアンテ３２ｂを介して医療機関側通信端末１１Ｂとの間でＰ２Ｐ通信を行う送受信処理部３７と、を具備している。
【０１１５】
前記医療機関側通信端末１１Ｂは、図１５に示すように、この医療機関側通信端末１１Ｂ全体の制御を行う制御部４１と、制御部４１の制御の基に患者通信端末１０Ｂとの間で各種情報の近距離無線通信を行うＮＦＣタグ５２と、各種情報の記憶を行う記憶部４４と、コンピュータ装置３から通信許可の情報を受信したとき前記患者通信端末１０との無線通信処理、患者通信端末１０から無線送信されてくる個人医療情報の前記コンピュータ装置３への転送処理、及び、前記コンピュータ装置３から無線送信されてくる電子カルテ情報（ＥＨＲ：エレクトロニック・ヘルス・レコード）の受信処理、画面表示処理更には記憶処理を実行するとともに、前記患者通信端末１０への電子カルテ情報の転送処理を実行するプログラム、更には、患者通信端末１０Ｂに向けてチャレンジ情報を無線によりアドバタイジング処理にて発信する処理、患者通信端末１０Ｂを所有する患者に伝達するためのワンタイムパスワードの生成処理、ワンタイムパスワードに基づく共有鍵生成処理、生成した共有鍵に基づき暗号化基情報を暗号情報とする暗号化処理、前記暗号情報と患者通信端末から送信される暗号情報との一致、不一致の判定処理と、患者通信端末からの接続要求に基づき前記コンピュータ装置に医療機関側通信端末を操作する医師の医師ＩＤを送信して通信許可認証を得る処理を行うプログラムを記憶したプログラムメモリ４５Ｂと、前記医療機関側通信端末１１Ｂにおける各種操作、各種情報の表示を行うタッチパネル式の操作・表示部４６と、ＷｉＦｉアンテナ４２ｂを介して前記無線通信網８と交信するとともに、前記患者通信端末１０Ｂとの間でＰ２Ｐ通信を行う送受信処理部４７と、を具備している。
【０１１６】
次に、本実施例２に係る電子医療情報の近距離無線通信システム１Ｂの動作態様について、既述した場合と同様なアドバタイジング処理態様、アドバタイジング処理態様及び暗号化処理態様を主にして説明する。
【０１１７】
（アドバタイジング処理態様）
本実施例２の電子医療情報の近距離無線通信システム１Ｂにおけるアドバタイジング処理態様の処理の流れについて、図１６を参照して説明する。
【０１１８】
病院２内で患者が保持する患者通信端末１０Ｂが近距離無線通信の交信可能エリアＥ内に入り、また、前記医師が保持する医療機関側通信端末１１Ｂも交信可能エリアＥ内に入った段階で、前記医療機関側通信端末１１ＢのＮＦＣタグ５２は、患者通信端末１０Ｂ向けて前記チャレンジ情報を無線によりアドバタイジング処理にて発信する。
【０１１９】
交信可能エリアＥに入った患者通信端末１０Ｂは、前記医療機関側通信端末１１Ｂからの信号のサーチ（ブラウジング）を開始し、前記ＮＦＣタグ５１にて前記チャレンジ情報を検知すると、患者通信端末１０Ｂはプログラム処理にて前記医療機関側通信端末１１Ａに向けてＰ２Ｐ交信のための患者ＩＤを含めた接続要求を送信する。
【０１２０】
医療機関側通信端末１１Ｂは、患者通信端末１０Ｂからの接続要求を受信すると、既述した場合と同様な処理の基に前記コンピュータ装置３と交信し、医師ＩＤを送信して通信許可を取得する。
【０１２１】
医療機関側通信端末１１Ｂが通信許可を取得した段階で、医療機関側通信端末１１Ｂと患者通信端末１０Ｂとの間のＰ２Ｐ通信が開始される。
【０１２２】
この後は、既述した場合と同様前記患者通信端末１０Ｂが無線送信する個人電子医療情報を医療機関側通信端末１１Ｂにより取得し、前記無線通信網８を介して前記コンピュータ装置３に送信するとともに、前記医療機関側通信端末１１Ｂにより前記コンピュータ装置３から無線通信網８を介して取得した前記患者通信端末１０Ｂに対応する電子カルテ情報を無線通信により当該患者通信端末１０Ｂに送信する処理が実行される。
【０１２３】
以上説明したアドバタイジング処理態様を実行するようにした本実施例２の電子医療情報の近距離無線通信システム１Ｂによれば、既述した実施例１の場合と同様な効果を奏することに加え、特に、患者通信端末１０Ｂ側において顕著な効果を発揮させることができる。
【０１２４】
すなわち、患者通信端末１０Ｂ側においては、医療機関側通信端末１１Ｂからのチャレンジ情報を検知して、医療機関側通信端末１１に向けてＰ２Ｐ交信のための患者ＩＤを含めた接続要求を送信するだけで、医療機関側通信端末１１が代行サーバとして機能し（プロキシー動作）、患者通信端末１０ＢはＶＰＮ設定を一切要することなく電子カルテ情報等の取得等が可能となる。すなわち、多数の患者通信端末１０Ｂが存在する場合の煩雑さを解消することができる。
【０１２５】
（アドバタイジング処理態様及び暗号化処理態様）
次に、本実施例２におけるアドバタイジング処理態様及び暗号化処理態様の組み合わせについて図１７を参照して説明する。
【０１２６】
近距離無線通信の交信可能エリアＥに入った前記医療機関側通信端末１１Ａは、患者通信端末１０Ｂに向けて前記チャレンジ情報を無線によりアドバタイジング処理にて発信する。
【０１２７】
交信可能エリアＥに入った患者通信端末１０Ｂは、前記医療機関側通信端末１１Ａからの信号のサーチ（ブラウジング）を開始し、前記チャレンジ情報を検知する。
【０１２８】
前記チャレンジ情報の検知により、患者通信端末１０Ｂの操作表示部３６の画面はプログラム処理により、ワンタイムパスワードの入力画面になる。
【０１２９】
一方、医療機関側通信端末１１Ｂにおいては、プログラム処理によりワンタイムパスワード（例えば「００１３」）を生成し、生成したワンタイムパスワードを操作表示部４６の画面に表示する。
【０１３０】
そして、医師は前記ワンタイムパスワードを口頭又は紙片メモ等により交信可能エリアＥ内の至近距離に居る患者通信端末１０Ｂを保持する患者に伝達する。
【０１３１】
ワンタイムパスワードを取得した患者は、患者通信端末１０Ｂのワンタイムパスワードの入力画面から前記ワンタイムパスワードを入力する。
【０１３２】
これにより、患者通信端末１０Ｂは、プログラム処理、例えばＲＦＣ（Ｒｅｑｕｅｓｔ  Ｆｏｒ  Ｃｏｍｍｅｎｔｓ：インターネット上での技術仕様の標準を示すドキュメント）定義のワンタイムパスワードストレッチ処理を実施し、共有鍵暗号化方式（ＡＥＳ：Ａｄｖａｎｃｅｄ  Ｅｎｃｒｙｐｔｉｏｎ  Ｓｔａｎｄａｒｄ）にて共有鍵（ＡＥＳ用ＫＥＹ）を生成する。
【０１３３】
更に、患者通信端末１０Ｂは、プログラム処理により、生成した共有鍵を用いて前記チャレンジ情報を暗号化し、暗号情報とするとともに、この暗号情報を含めた接続要求を医療機関側通信端末１１Ａに向けて無線送信する。
【０１３４】
一方、医療機関側通信端末１１Ｂにおいては、ワンタイムパスワード（例えば「００１３」）を生成後、既述した場合と同様、プログラム処理、例えばＲＦＣ定義のワンタイムパスワードストレッチ処理を実施し、共有鍵暗号化方式にて共有鍵（ＡＥＳ用ＫＥＹ）を生成する。更に、生成した共有鍵を用いて前記チャレンジ情報を暗号化し、暗号情報とする。
【０１３５】
そして、医療機関側通信端末１１Ｂは、患者通信端末１０Ｂから送信された前記暗号情報と、医療機関側通信端末１１Ｂ自体の暗号情報との一致、不一致の判定を行い、両者が一致したときコンピュータ装置３と交信して既述した場合と同様に通信許可認証を取得する。
【０１３６】
医療機関側通信端末１１Ｂが通信許可を取得した段階で、医療機関側通信端末１１Ｂと患者通信端末１０Ｂとの間のＰ２Ｐ通信が開始される。
【０１３７】
なお、前記両暗号情報が一致しなければ通信拒絶処理となる。
【０１３８】
この後は、既述した場合と同様前記患者通信端末１０Ｂが無線送信する個人電子医療情報を医療機関側通信端末１１Ｂにより取得し、前記無線通信網８を介して前記コンピュータ装置３に送信するとともに、前記医療機関側通信端末１１Ｂにより前記コンピュータ装置３から無線通信網８を介して取得した前記患者通信端末１０Ｂに対応する電子カルテ情報を無線通信により当該患者通信端末１０Ｂに送信する処理が実行される。
【０１３９】
以上説明した本実施例２のアドバタイジング処理態様及び暗号化処理態様の組み合わせによれば、患者通信端末１０Ｂ側のＶＰＮ設定が一切不要となるとともに、前記ワンタイムパスワードに関しては、医師から患者に口頭又は紙片メモ等により伝達する方式を採用していることから、仮に悪意のある第三者に送信中のチャレンジ情報が傍受される事態が生じても、もう一方のワンタイムパスワードを悪意のある第三者が取得することは殆ど不可能になり、この結果、医療機関側通信端末１１Ｂ、患者通信端末１０Ｂ間の情報更新に伴うセキュリティ性を大幅に向上することが可能となる。
【産業上の利用可能性】
【０１４０】
本発明に係る電子医療情報の近距離無線通信システムは、患者通信端末として、ｉＰｈｏｎｅ（登録商標）型通信端末、アンドロイド（登録商標）型通信端末等の各種スマートフォンを、医療機関側通信端末１１として、ｉＰａｄ（登録商標）型や、ウインドウズ（登録商標）型等の各種タブレットＰＣ端末等を採用することで、病院等の医師や、多くの患者の利便性向上に大いに貢献する。
【符号の説明】
【０１４１】
１    電子医療情報の近距離無線通信システム
２    病院
３    コンピュータ装置
４    ルータ
５    通信網
６    病院内通信網
７    ＷｉＦｉルータ
８    無線通信網
９    ビーコン発信器
１０    患者通信端末
１０Ａ  患者通信端末
１０Ｂ  患者通信端末
１１    医療機関側通信端末
１１Ａ  医療機関側通信端末
１１Ｂ  医療機関側通信端末
１２    クライアントコンピュータ
１３    電子医療情報データベース
２１    主制御部
２２    プログラムメモリ
２３    操作部
２４    表示部
２５    送受信処理部
２６    電子カルテ情報データベース
２７    個人電子医療情報データベース
２８    認証処理部
３１    制御部
３２    アンテナ部
３２ａ  ビーコンアンテナ
３２ｂ  ＷｉＦｉアンテナ
３３    受信強度計測部
３４    記憶部
３５    プログラムメモリ
３５Ａ  プログラムメモリ
３５Ｂ  プログラムメモリ
３６    操作・表示部
３７    送受信処理部
４１    制御部
４２    アンテナ部
４２ａ  ビーコンアンテナ
４２ｂ  ＷｉＦｉアンテナ
４３    受信強度計測部
４４    記憶部
４５    プログラムメモリ
４５Ａ  プログラムメモリ
４５Ｂ  プログラムメモリ
４６    操作・表示部
４７    送受信処理部
５１    ＮＦＣタグ
５２    ＮＦＣタグ
Ｅ    交信可能エリア
【図１】
2016076767.tif 000003
【図２】
2016076767.tif 000004
【図３】
2016076767.tif 000005
【図４】
2016076767.tif 000006
【図５】
2016076767.tif 000007
【図６】
2016076767.tif 000008
【図７】
2016076767.tif 000009
【図８】
2016076767.tif 000010
【図９】
2016076767.tif 000011
【図１０】
2016076767.tif 000012
【図１１】
2016076767.tif 000013
【図１２】
2016076767.tif 000014
【図１３】
2016076767.tif 000015
【図１４】
2016076767.tif 000016
【図１５】
2016076767.tif 000017
【図１６】
2016076767.tif 000018
【図１７】
2016076767.tif 000019